(57)【要約】【課題】演出用可変表示装置を用いて入賞の発生が許容されたか否かの決定結果を反映した演出を行うときに、その演出態様をより多彩なものとすることで興趣を高めることができるスロットマシンを提供すること。【解決手段】メインリール２Ｌ、２Ｃ、２Ｒと、サブリール６０と、を備え、メインリール２Ｌ、２Ｃ、２Ｒの表示結果とサブリール６０の表示結果の組合せにより構成される複合告知目（図６（ａ）（ｂ）参照）、またはサブリール６０の表示結果のみで構成される単独告知目（図６（ｃ）（ｄ）参照）を導出させることによりＢＢフラグまたはＲＢフラグの成立状態を報知する。【選択図】    図６
2004321389.tif 000002
【特許請求の範囲】
【請求項１】
複数種の入賞用図柄を移動させることにより表示状態を変化させるとともに、該移動を停止させたときに表示されている入賞用図柄を表示結果とする入賞用可変表示装置を備え、
１ゲームに対して賭数を設定することによりゲームが開始可能となるとともに、前記入賞用可変表示装置の前記入賞用図柄の移動が停止することで１ゲームが終了し、該入賞用可変表示装置の表示結果に応じて入賞が発生可能とされたスロットマシンであって、
前記入賞用可変表示装置とは別個に設けられ、複数種の演出用図柄を移動させることにより表示状態を変化させるとともに、該移動を停止させたときに表示されている演出用図柄を表示結果とする演出用可変表示装置と、
前記演出用可変表示装置の制御を行う演出用表示制御手段と、
前記入賞用可変表示装置の前記入賞用図柄の移動が停止する以前に前記入賞の発生を許容するか否かを決定する事前決定手段と、
を備え、
前記演出用表示制御手段は、
前記事前決定手段により遊技者にとって有利な特別入賞の発生が許容されていることを条件に、前記演出用可変表示装置の表示結果として表示されている演出用図柄のみによって前記特別入賞の発生が許容されている旨を示す単独告知を行わせることが可能となるように前記演出用可変表示装置の制御を行うとともに、
前記事前決定手段により前記特別入賞の発生が許容され、かつ前記入賞用可変表示装置の表示結果として表示されている入賞用図柄が特定の表示結果であることを条件に、該特定の表示結果として表示されている入賞用図柄と前記演出用図柄との組合せにより前記特別入賞の発生が許容されている旨を示す複合告知を行わせることが可能となるように前記演出用可変表示装置の制御を行うことを特徴とするスロットマシン。
【請求項２】
所定の停止条件が成立してから前記演出用可変表示装置の前記演出用図柄の移動が停止するまでの変動量として異なる変動量が定められた複数種類の変動量テーブルを備え、
前記演出用表示制御手段は、前記入賞用可変表示装置の表示結果として表示された入賞用図柄に応じた種類の前記変動量テーブルを選択し、該選択した変動量テーブルに基づいて前記演出用可変表示装置の前記演出用図柄の移動を停止させる制御を行う請求項１に記載のスロットマシン。
【請求項３】
前記入賞用可変表示装置の前記入賞用図柄の移動を停止させるための第１の停止操作手段と、
前記演出用可変表示装置の前記演出用図柄の移動を停止させるための第２の停止操作手段と、
所定の停止条件が成立してから前記演出用可変表示装置の前記演出用図柄の移動が停止するまでの変動量として異なる変動量が定められた複数種類の変動量テーブルと、
を備え、
前記演出用表示制御手段は、前記第１の停止操作手段が操作された後に前記第２の操作手段が操作されたときと、前記第１の停止操作手段が操作される前に前記第２の停止操作手段が操作されたときと、で異なる種類の前記変動量テーブルを選択し、該選択した変動量テーブルに基づいて前記演出用可変表示装置の前記演出用図柄の移動を停止させる制御を行う請求項１または２に記載のスロットマシン。
【請求項４】
前記入賞用可変表示装置は、各々別個の入賞用図柄を表示結果として表示させることが可能な複数の可変表示部を備え、
前記複合告知は、前記可変表示部のうち一部の可変表示部の表示結果として表示されている入賞用図柄と前記演出用可変表示装置の表示結果として表示されている演出用図柄との組合せにより構成されるものと、全ての前記可変表示部の表示結果として表示されている入賞用図柄と前記演出用可変表示装置の表示結果として表示されている演出用図柄との組合せにより構成されるものと、を含む請求項１〜３のいずれかに記載のスロットマシン。
【請求項５】
前記複合告知は、前記入賞が発生したときに前記各可変表示部に表示される入賞用図柄の組合せと同一の組合せを含む請求項４に記載のスロットマシン。
【請求項６】
前記入賞用可変表示装置は、各々別個の入賞用図柄を表示結果として表示させることが可能な複数の可変表示部を備え、
前記可変表示部のうちいずれか１つの可変表示部の表示結果のみによって前記特別入賞の発生が許容されている旨を示す単独特別告知を行うことが可能であり、前記単独告知が行われたときの前記演出用可変表示装置の表示結果は、前記単独特別告知が行われたときの前記入賞用可変表示装置の表示結果と同一の表示結果を含む請求項１〜５のいずれかに記載のスロットマシン。
【請求項７】
前記入賞用可変表示装置の表示結果として表示されている入賞用図柄のみによって前記特別入賞の発生が許容されている旨を示す特別告知を行うことが可能であり、
前記演出用表示制御手段は、前記特別告知が行われたときに、前記単独告知及び前記複合告知を行わせることが困難または不可能となるように前記演出用可変表示装置の制御を行う請求項１〜６のいずれかに記載のスロットマシン。
【発明の詳細な説明】
【０００１】
【発明の属する技術分野】
本発明は、表示状態を変化させることが可能な入賞用可変表示装置の表示結果に応じて所定の入賞が発生可能なスロットマシンに関し、特には入賞用可変表示装置とは別個に設けられた演出用可変表示装置を備えるスロットマシンに関する。
【０００２】
【従来の技術】
この種のスロットマシンとしては、例えば、外周に複数種の図柄が表示された複数のリールを備え、これら各リールを回転させることにより図柄を連続的に変動表示させることができる入賞用可変表示装置を設けるとともに、この入賞用可変表示装置の表示結果として所定の入賞ラインに停止した図柄の組合せが所定の組合せとなった場合に入賞が発生するものが一般的である。通常、これら入賞の発生を許容するか否かは、入賞用可変表示装置の図柄が停止する以前に決定される。
【０００３】
また、近年においては、前述のように入賞の発生と直接関係する入賞用可変表示装置とは別個に図柄の変動表示を行うことが可能な演出用のリール等、演出用可変表示装置を設け、この演出用可変表示装置によって、入賞の発生が許容されたか否かの決定結果を反映した演出を行うことが可能なスロットマシンが提案されている（例えば、特許文献１、２参照）。
【０００４】
【特許文献１】
特開２０００−６１０４０号公報（第１頁）
【特許文献２】
特開２００２−５８７９４号公報（第８−９頁、第１、２、８図）
【０００５】
【発明が解決しようとする課題】
しかしながら、演出用可変表示装置のみにより実現できる演出態様には限界があることから、演出用可変表示装置のみで入賞の発生が許容されたか否かの決定結果を反映した演出を行っても十分に興趣を高めることができなかった。
【０００６】
本発明は、このような問題点に着目してなされたものであり、演出用可変表示装置を用いて入賞の発生が許容されたか否かの決定結果を反映した演出を行うときに、その演出態様をより多彩なものとすることで興趣を高めることができるスロットマシンを提供することを目的とする。
【０００７】
【課題を解決するための手段】
上記課題を解決するために、本発明のスロットマシンは、複数種の入賞用図柄を移動させることにより表示状態を変化させるとともに、該移動を停止させたときに表示されている入賞用図柄を表示結果とする入賞用可変表示装置を備え、
１ゲームに対して賭数を設定することによりゲームが開始可能となるとともに、前記入賞用可変表示装置の前記入賞用図柄の移動が停止することで１ゲームが終了し、該入賞用可変表示装置の表示結果に応じて入賞が発生可能とされたスロットマシンであって、
前記入賞用可変表示装置とは別個に設けられ、複数種の演出用図柄を移動させることにより表示状態を変化させるとともに、該移動を停止させたときに表示されている演出用図柄を表示結果とする演出用可変表示装置と、
前記演出用可変表示装置の制御を行う演出用表示制御手段と、
前記入賞用可変表示装置の前記入賞用図柄の移動が停止する以前に前記入賞の発生を許容するか否かを決定する事前決定手段と、
を備え、
前記演出用表示制御手段は、
前記事前決定手段により遊技者にとって有利な特別入賞の発生が許容されていることを条件に、前記演出用可変表示装置の表示結果として表示されている演出用図柄のみによって前記特別入賞の発生が許容されている旨を示す単独告知を行わせることが可能となるように前記演出用可変表示装置の制御を行うとともに、
前記事前決定手段により前記特別入賞の発生が許容され、かつ前記入賞用可変表示装置の表示結果として表示されている入賞用図柄が特定の表示結果であることを条件に、該特定の表示結果として表示されている入賞用図柄と前記演出用図柄との組合せにより前記特別入賞の発生が許容されている旨を示す複合告知を行わせることが可能となるように前記演出用可変表示装置の制御を行うことを特徴としている。
この特徴によれば、演出用可変表示装置の表示結果として表示されている演出用図柄のみによって特別入賞の発生が許容されている旨を示す単独告知を行うこと、すなわち演出用可変表示装置に表示されている演出用図柄のみで事前決定手段により特別入賞の発生が許容された旨を報知することができるとともに、入賞用可変表示装置に表示されている入賞用図柄と演出用可変表示装置に表示されている演出用図柄との組合せによって特別入賞の発生が許容されている旨を示す複合告知を行うこと、すなわち入賞用可変表示装置と演出用可変表示装置の双方の図柄の組合せによって事前決定手段により特別入賞の発生が許容された旨を報知することができる。これにより、従来のように演出用可変表示装置のみを用いて事前決定手段により特別入賞の発生が許容されたか否かの結果を反映した演出を行う場合よりも、演出用可変表示装置を用いた多彩な演出態様にて特別入賞の発生が許容されたか否かの結果を反映した演出を行うことができるため、従来よりも興趣を高めることができる。
尚、本発明における特別入賞とは、例えば、通常に比較して入賞の発生確率が高い遊技状態や入賞の発生により通常よりも高い価値が付与される遊技状態等の特別遊技状態の発生契機となる入賞が該当する。
また、入賞用可変表示装置と演出用可変表示装置とは、各々別個に表示状態を変化させることが可能とされ、かつ別個の表示結果が得られるものであれば良く、これら入賞用可変表示装置と演出用可変表示装置と、が一体にユニット化されている構成としても良い。
【０００８】
本発明のスロットマシンは、所定の停止条件が成立してから前記演出用可変表示装置の前記演出用図柄の移動が停止するまでの変動量として異なる変動量が定められた複数種類の変動量テーブルを備え、
前記演出用表示制御手段は、前記入賞用可変表示装置の表示結果として表示された入賞用図柄に応じた種類の前記変動量テーブルを選択し、該選択した変動量テーブルに基づいて前記演出用可変表示装置の前記演出用図柄の移動を停止させる制御を行うことが好ましい。
このようにすれば、演出用可変表示装置の制御内容が変動量テーブルに定められているため、演出用表示制御手段の制御を簡素化できるとともに、入賞用可変表示装置の表示結果として表示された入賞用図柄に応じて演出用可変表示装置の表示結果として表示される演出用図柄が変化するため、入賞用可変表示装置の表示結果として表示された入賞用図柄と演出用可変表示装置の表示結果として表示された演出用図柄との組合せを多彩なものにでき、より興趣の高い演出を行うことができる。
【０００９】
本発明のスロットマシンは、前記入賞用可変表示装置の前記入賞用図柄の移動を停止させるための第１の停止操作手段と、
前記演出用可変表示装置の前記演出用図柄の移動を停止させるための第２の停止操作手段と、
所定の停止条件が成立してから前記演出用可変表示装置の前記演出用図柄の移動が停止するまでの変動量として異なる変動量が定められた複数種類の変動量テーブルと、
を備え、
前記演出用表示制御手段は、前記第１の停止操作手段が操作された後に前記第２の操作手段が操作されたときと、前記第１の停止操作手段が操作される前に前記第２の停止操作手段が操作されたときと、で異なる種類の前記変動量テーブルを選択し、該選択した変動量テーブルに基づいて前記演出用可変表示装置の前記演出用図柄の移動を停止させる制御を行うことが好ましい。
このようにすれば、演出用可変表示装置の制御内容が変動量テーブルに定められているため、演出用表示制御手段の制御を簡素化できるとともに、入賞用可変表示装置の表示結果が演出用可変表示装置の表示結果が表示される以前に表示されたか、入賞用可変表示装置の表示結果が演出用可変表示装置の表示結果が表示された後に表示されたか、に応じて演出用可変表示装置の制御を行うことが可能となるため、より興趣の高い演出を行うことができる。
【００１０】
本発明のスロットマシンの前記入賞用可変表示装置は、各々別個の入賞用図柄を表示結果として表示させることが可能な複数の可変表示部を備え、
前記複合告知は、前記可変表示部のうち一部の可変表示部の表示結果として表示されている入賞用図柄と前記演出用可変表示装置の表示結果として表示されている演出用図柄との組合せにより構成されるものと、全ての前記可変表示部の表示結果として表示されている入賞用図柄と前記演出用可変表示装置の表示結果として表示されている演出用図柄との組合せにより構成されるものと、を含むことが好ましい。
このようにすれば、入賞用可変表示装置の表示結果として表示されている入賞用図柄と演出用可変表示装置の表示結果として表示されている演出用図柄との組合せによる複合告知を多彩なものにできるため、より興趣の高い演出を行うことができる。
【００１１】
本発明のスロットマシンの前記複合告知は、前記入賞が発生したときに前記各可変表示部に表示される入賞用図柄の組合せと同一の組合せを含むことが好ましい。
このようにすれば、見た目が良いうえに、入賞用可変表示装置の表示結果として表示されている入賞用図柄と演出用可変表示装置の表示結果として表示されている演出用図柄との組合せによる複合告知となったことを遊技者に対して容易に認識させることができる。
【００１２】
本発明のスロットマシンの前記入賞用可変表示装置は、各々別個の入賞用図柄を表示結果として表示させることが可能な複数の可変表示部を備え、
前記可変表示部のうちいずれか１つの可変表示部の表示結果のみによって前記特別入賞の発生が許容されている旨を示す単独特別告知を行うことが可能であり、前記単独告知が行われたときの前記演出用可変表示装置の表示結果は、前記単独特別告知が行われたときの前記入賞用可変表示装置の表示結果と同一の表示結果を含むことが好ましい。
このようにすれば、見た目が良いうえに、演出用可変表示装置の表示結果として表示されている演出用図柄のみによって特別入賞の発生が許容されている旨を示す単独告知が行われたことを遊技者に対して容易に認識させることができる。
【００１３】
本発明のスロットマシンの前記入賞用可変表示装置の表示結果として表示されている入賞用図柄のみによって前記特別入賞の発生が許容されている旨を示す特別告知を行うことが可能であり、
前記演出用表示制御手段は、前記特別告知が行われたときに、前記単独告知及び前記複合告知を行わせることが困難または不可能となるように前記演出用可変表示装置の制御を行うことが好ましい。
このようにすれば、入賞用可変表示装置の表示結果として表示されている入賞用図柄によって特別告知が行われたとき、いわゆるリーチ目が表示され、特別入賞の発生が許容されている旨が報知されているにも関わらず、更に単独告知や複合告知が行われてしまうことによる煩わしさを軽減できる。
【００１４】
【発明の実施の形態】
以下、本発明の実施の形態を図面に基づいて詳細に説明する。
【００１５】
本発明が適用されたスロットマシンの実施例を図面を用いて説明すると、図１に示すように、本実施例のスロットマシン１には、外周に複数種の図柄が配列されたメインリール２Ｌ、２Ｃ、２Ｒ及びサブリール６０が水平方向に並設されており、これらメインリール２Ｌ、２Ｃ、２Ｒ及びサブリール６０に配列された図柄のうち連続する３つの図柄がスロットマシン１の前面に設けられた透視窓３及び演出用窓５１から見えるように配置されている。
【００１６】
各メインリール２Ｌ、２Ｃ、２Ｒは、各々対応して設けられたリールモータ３４Ｌ、３４Ｃ、３４Ｒによって回転されることで、各メインリール２Ｌ、２Ｃ、２Ｒの図柄が透視窓３に連続的に変化しつつ表示されるとともに、各メインリール２Ｌ、２Ｃ、２Ｒの回転を停止させることで、透視窓３に３つの連続する図柄が表示結果として導出表示されるようになっている。また、同様にサブリール６０も、対応して設けられたサブリールモータ８０によって回転されることで、サブリール６０の図柄が演出用窓５１に連続的に変化しつつ表示されるとともに、サブリール６０の回転を停止させることで、演出用窓５１に３つの連続する図柄が表示結果として導出表示されるようになっている。
【００１７】
また、本実施例のスロットマシン１には、メダルが投入可能なメダル投入口４、クレジットを用いて賭数を設定する際に操作される１枚ＢＥＴスイッチ５及びＭＡＸＢＥＴスイッチ６、ゲームを開始する際に操作されるスタートスイッチ７、メインリール２Ｌ、２Ｃ、２Ｒの回転を各々停止する際に操作されるメインストップスイッチ８Ｌ、８Ｃ、８Ｒ、サブリール６０の回転を停止する際に操作されるサブストップスイッチ８Ｓが設けられている。また、サブストップスイッチ８Ｓは、メインストップスイッチ８Ｌ、８Ｃ、８Ｒと異なる外観とされており、遊技者がメインストップスイッチ８Ｌ、８Ｃ、８Ｒとサブストップスイッチ８Ｓとの違いを見た目で区別できるようになっている。
【００１８】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６、または１枚ＢＥＴスイッチ５を操作すれば良い。賭数が設定されると、設定された賭数に応じて入賞ラインＬ１、Ｌ２、Ｌ２’、Ｌ３、Ｌ３’（図１参照）が有効となり、スタートスイッチ７の操作が有効な状態、すなわち、ゲームが開始可能な状態となる。
【００１９】
ゲームが開始可能な状態でスタートスイッチ７を操作すると、各メインリール２Ｌ、２Ｃ、２Ｒが回転し、各メインリール２Ｌ、２Ｃ、２Ｒの図柄が連続的に変動する。この状態でいずれかのメインストップスイッチ８Ｌ、８Ｃ、８Ｒを操作すると、対応するメインリール２Ｌ、２Ｃ、２Ｒの回転が停止し、表示結果が導出表示される。
【００２０】
そして全てのメインリール２Ｌ、２Ｃ、２Ｒが停止されることで１ゲームが終了し、賭数に応じて有効化されたいずれかの入賞ラインＬ１、Ｌ２、Ｌ２’、Ｌ３、Ｌ３’上に予め定められた図柄の組合せが各メインリール２Ｌ、２Ｃ、２Ｒの表示結果として停止した場合には入賞が発生し、その入賞にして定められた枚数のメダルが遊技者に対してクレジットに加算される。また、クレジットが上限数（本実施例では５０）に達した場合には、メダルが直接メダル払出穴９（図１参照）から払い出されるようになっている。
【００２１】
図２は、スロットマシン１の構成を示すブロック図である。スロットマシン１には、図２に示すように、遊技制御基板４０、演出制御基板９０が設けられており、遊技制御基板４０によって主に遊技状態が制御され、演出制御基板９０によって遊技状態に応じた演出が制御される。
【００２２】
遊技制御基板４０には、前述した１枚ＢＥＴスイッチ５、ＭＡＸＢＥＴスイッチ６、スタートスイッチ７、メインストップスイッチ８Ｌ、８Ｃ、８Ｒが接続されているとともに、メダル投入部４から投入されたメダルを検出する投入メダルセンサ３１、メダル払出穴９から払い出されるメダルを検出する払出センサ３３、メインリール２Ｌ、２Ｃ、２Ｒの基準位置を検出するリールセンサ３５が接続されており、これら接続されたスイッチ、センサの検出信号が入力されるようになっている。
【００２３】
また、遊技制御基板４０には、前述したリールモータ３４Ｌ、３４Ｃ、３４Ｒが接続されているとともに、メダル払出穴９よりメダルを払い出すためのホッパーモータ３２が接続されており、これら電気部品は、遊技制御基板４０に搭載された後述のメイン制御部４１の制御に基づいて駆動されるようになっている。
【００２４】
遊技制御基板４０には、所定の手順で演算を行うＣＰＵ、ＣＰＵの制御プログラムや各種データテーブル等を格納するＲＯＭ、必要なデータの書き込み及び読み出しを行うＲＡＭを備えるメイン制御部４１、遊技制御基板４０に接続されたスイッチ、センサから入力された検出信号が入力されるスイッチ回路４２、ホッパーモータ３２、リールモータ３４Ｌ、３４Ｃ、３４Ｒの駆動制御を行うモータ回路４３等、が搭載されており、メイン制御部４１は、遊技制御基板４０に接続されたスイッチ、センサの検出信号を受けて、ゲームの進行に応じた各種の制御を行う。
【００２５】
演出制御基板９０には、前述したサブストップスイッチ８Ｓが接続されているとともに、サブリール６０の基準位置を検出するサブリールセンサ８１が接続されており、これら接続されたスイッチ、センサの検出信号が入力されるようになっている。
【００２６】
演出制御基板９０には、前述したサブリールモータ８０が接続されているとともに、遊技効果ＬＥＤ５２、スピーカ５３、５４、メインリール２Ｌ、２Ｃ、２Ｒ及びサブリール６０を背面から照射するリールランプ５５が接続されており、これら電気部品は、演出制御基板９０に搭載された後述のサブ制御部９１による制御に基づいて駆動されるようになっている。
【００２７】
演出制御基板９０には、メイン制御部４１と同様のＣＰＵ、ＲＯＭ、ＲＡＭを備えるサブ制御部９１、演出制御基板９０に接続されたスイッチ、センサから入力された検出信号が入力されるスイッチ回路９２、サブリールモータ８０の駆動制御を行うモータ回路９３、遊技効果ＬＥＤ５２やリールランプ５５の駆動制御を行うランプ駆動回路９４、スピーカ５３、５４からの音声出力制御を行う音声出力回路９５等、が搭載されており、サブ制御部９１は、遊技制御基板４０に搭載されたメイン制御部４１から送信されるコマンドや、演出制御基板９０に接続されたスイッチ、センサからの検出信号を受けて、演出を行うための各種の制御を行う。
【００２８】
図３は、各メインリール２Ｌ、２Ｃ、２Ｒ、の図柄配列及びサブリール６０の図柄配列を示す図であり、各メインリール２Ｌ、２Ｃ、２Ｒには「１」〜「２１」の各図柄番号に対応して、「黒７」、「白７」、「ＢＡＲ」、「スイカ」、「ベル」、「チェリー」、「リプレイ」の図柄が各メインリールに２１個配列されている。
【００２９】
本実施例では、図４に示すように、通常遊技状態において「チェリー−ａｎｙ−ａｎｙ」の組合せが有効化された１本の入賞ライン上に揃った場合には、２枚のメダルが払い出されるチェリー入賞が発生する。また、「スイカ−スイカ−スイカ」の組合せが有効化された１本の入賞ライン上に揃った場合には、１２枚のメダルが払い出されるスイカ入賞が発生する。また、「ベル−ベル−ベル」の組合せが有効化された１本の入賞ライン上に揃った場合には、８枚のメダルが払い出されるベル入賞が発生する。これらチェリー入賞、スイカ入賞、ベル入賞は、小役入賞ともいう。また、「リプレイ−リプレイ−リプレイ」の組合せが有効化された１本の入賞ライン上に揃った場合には、当該ゲームと同一の賭数にて次回のゲームを実施可能なリプレイゲーム（再ゲーム）が付与されるリプレイ（再遊技）入賞が発生する。
【００３０】
また、通常遊技状態において有効化されたいずれかの入賞ライン上に「ＢＡＲ−ＢＡＲ−ＢＡＲ」の図柄の組合せが揃えば、ＲＢ入賞が発生し、その対価として１５枚のメダルが払い出されるとともに、遊技者にとって有利なレギュラーボーナス（ＲＢ）が発生し、レギュラーボーナスゲーム（ＲＢゲーム）が遊技者に対して付与される。ＲＢゲームにおいては、「リプレイ−リプレイ−リプレイ」の組合せが有効化された１本の入賞ライン上に揃って、１５枚のメダルが払い出されるＪａｃ入賞が高確率で発生する。ＲＢでは、ＲＢゲームが最大で１２回提供されるとともに、このＲＢゲームが１２回実行されるか、あるいはＲＢゲームが１２回に達する前にＪａｃ入賞が８回発生するか、のいずれかの条件が満たされた時点で終了する。
【００３１】
また、通常遊技状態において有効化された入賞ライン上に、「黒７−黒７−黒７」または「白７−白７−白７」の図柄の組合せが揃えば、特別入賞であるＢＢ入賞が発生し、その対価として１５枚のメダルが払い出されるとともに、遊技者にとって有利なビッグボーナス（ＢＢ）が発生し、通常遊技状態よりも小役入賞の発生確率が高いビッグボーナスゲーム（ＢＢゲーム）と前述したＲＢが遊技者に対して付与される。ＢＢゲームにおいて「リプレイ−リプレイ−リプレイ」の組合せが有効化された１本の入賞ライン上に揃った場合には、ＪａｃＩｎ入賞が発生し、これに基づき前述したＲＢに移行し、ＲＢゲームが遊技者に対して付与される。ＢＢでは、ＢＢゲームが最大で３０ゲーム提供されるとともに、このＢＢゲームにおいてＲＢに移行可能な最大回数が規定されており、本実施例では最大で３回移行し得るように規定されている。そしてＢＢは、３０回のＢＢゲームを実行した場合か、或いは３０回のＢＢゲームを実行する前にＲＢへ３回移行し、３回目のＲＢが終了した場合のうち、少なくともいずれか１つの条件が満たされた時点で終了する。
【００３２】
本実施例では、遊技制御基板４０に搭載されたメイン制御部４１が、乱数抽選により入賞の発生を許容するか否かを決定するための内部抽選処理を毎ゲーム実行するとともに、この内部抽選処理においていずれかの入賞の発生が許容されたときに、その旨を示す内部当選フラグを設定する（以下フラグの当選ともいう）。すなわちメイン制御部４１は、本発明の事前決定手段として機能する。
【００３３】
内部当選フラグは、図４に示すように、各入賞に対応して定められており、内部抽選処理により各々対応する内部当選フラグが設定されたことを条件に対応する入賞の発生が許容されることとなる。
【００３４】
通常遊技状態においてチェリー入賞、スイカ入賞、ベル入賞、リプレイ入賞、ＢＢ入賞、ＲＢ入賞の組合せは、該当する入賞を許容する旨の内部当選フラグ（チェリーフラグ、スイカフラグ、ベルフラグ、リプレイフラグ、ＢＢフラグ、ＲＢフラグ）が設定され、かつ各メインリール２Ｌ、２Ｃ、２Ｒの停止操作が行われた際に該当する図柄が引込範囲（本実施例では停止された際の図柄を除き最大４図柄）内にあれば有効化された入賞ラインに揃うように制御される。
【００３５】
また、図４に示すように、通常遊技状態において対象となる入賞の内部当選フラグのうち、チェリーフラグ、スイカフラグ、ベルフラグ、リプレイフラグは、当該内部当選フラグが当選したゲームにおいてのみ有効とされており、そのゲームの終了後にクリアされる。これに対してＢＢフラグまたはＲＢフラグは、当該ＢＢフラグまたはＲＢフラグにより許容されるＢＢ入賞またはＲＢ入賞が発生するまで次ゲーム以降に持ち越される。尚、これらＢＢフラグまたはＲＢフラグ当選した後、ＢＢ入賞またはＲＢ入賞が発生するまでの状態をＢＢフラグまたはＲＢフラグの成立状態ともいう。
【００３６】
図３に示すように、サブリール６０には、メインリール２Ｌ、２Ｃ、２Ｒと同様に「１」〜「２１」の各図柄番号に対応して、「黒７」、「白７」、「ＢＡＲ」、「スイカ」、「ベル」、「チェリー」、「リプレイ」、「ハズレ」の図柄が２１個配列されており、本実施例では、このサブリール６０を用いてＢＢフラグまたはＲＢフラグの成立状態である旨を報知するボーナス告知演出が行われる。本実施例では、サブリール６０の制御を、演出制御基板９０に搭載されたサブ制御部９１が行う。すなわちサブ制御部９１は、本発明の演出用表示制御手段として機能する。
【００３７】
ボーナス告知演出が行われるゲームでは、図５に示すように、ゲームの開始とともにサブリール６０も回転して図柄が変動する。この状態で、遊技者によりサブストップスイッチ８Ｓが操作されることでサブリール６０が停止し、演出用窓５１に表示結果が導出されるとともに、この演出用窓５１に導出されたサブリール６０の表示結果または、サブリール６０の表示結果と透視窓３に導出されたメインリール２Ｌ、２Ｃ、２Ｒの表示結果との組合せが特定の表示結果となることでＢＢフラグまたはＲＢフラグの成立状態である旨が報知される。
【００３８】
具体的には、図６（ａ）に示すように、メインリール２Ｌ、２Ｃ、２Ｒの表示結果として小役入賞を構成する図柄（以下小役図柄と称す）が水平方向の入賞ラインＬ１、Ｌ２、Ｌ２’（以下水平ラインと称す）に導出され、サブリール６０の表示結果として同一の小役図柄が、メインリール２Ｌ、２Ｃ、２Ｒの水平ラインに並んだ小役図柄の延長線上となること、すなわち４つの小役図柄が一直線上に並ぶことで、ＢＢフラグまたはＲＢフラグの成立状態である旨を報知する。このように全てのメインリール２Ｌ、２Ｃ、２Ｒとサブリール６０の表示結果によりＢＢフラグまたはＲＢフラグの成立状態である旨を報知する表示態様を４リール複合告知目と呼ぶ。これら４リール複合告知目は、ＢＢフラグまたはＲＢフラグの成立状態であり、かつメインリール２Ｌ、２Ｃ、２Ｒの表示結果が全て導出され、その表示結果として小役図柄が水平ラインに揃っていることを条件に導出させることが可能に制御される。
【００３９】
このように本実施例では、４リール複合告知目として、メインリール２Ｌ、２Ｃ、２Ｒ、サブリール６０に４つの小役図柄が一直線上に並んだ表示態様を適用しているため、見た目が良いうえに、４リール複合告知目となったことを遊技者に対して容易に認識させることができる。
【００４０】
また、図６（ｂ）に示すように、３列に並ぶメインリール２Ｃ、２Ｒ、サブリール６０の表示結果により構成される表示態様が、メインリール２Ｌ、２Ｃ、２Ｒにおける入賞態様と同一の態様となること、すなわちメインリール２Ｌ、２Ｃ、２Ｒにおける入賞ラインをメインリール２Ｃ、２Ｒ、サブリール６０の表示結果に適用した際に入賞態様が構成されること、または、３列に並ぶメインリール２Ｃ、２Ｒ、サブリール６０の表示結果により構成される表示態様が、リーチ目（ＢＢフラグまたはＲＢフラグの成立状態においてのみメインリール２Ｌ、２Ｃ、２Ｒの表示結果として導出される表示態様）となることで、ＢＢフラグまたはＲＢフラグの成立状態である旨を報知する。このように３列に並ぶメインリール２Ｃ、２Ｒ、サブリール６０の表示結果によりＢＢフラグまたはＲＢフラグの成立状態である旨を報知する表示態様を３リール複合告知目と呼ぶ。これら３リール複合告知目は、ＢＢフラグまたはＲＢフラグの成立状態であり、かつメインリール２Ｌ、２Ｃ、２Ｒの表示結果が全て導出され、そのうちメインリール２Ｃ、２Ｒの表示結果が、サブリール６０の表示結果との組合せにより３リール複合告知目を構成できる表示態様（以下準備目と称す）であることを条件に導出させることが可能に制御される。
【００４１】
このように本実施例では、３リール複合告知目として、メインリール２Ｌ、２Ｃ、２Ｒおける入賞態様と同一の表示態様やリーチ目と同一の表示態様を用いているため、見た目が良いうえに、３リール複合告知目となったことを遊技者に対して容易に認識させることができる。
【００４２】
また、図６（ｃ）に示すように、サブリール６０の表示結果として「白７」の３連図柄が導出されること、または図６（ｄ）に示すように、サブリール６０の表示結果として「黒７」が中段に導出されることで、ＢＢフラグまたはＲＢフラグの成立状態である旨を報知する。このようにサブリール６０の表示結果のみによりＢＢフラグまたはＲＢフラグの成立状態である旨を報知する表示態様を単独告知目と呼ぶ。これら単独告知目は、ＢＢフラグまたはＲＢフラグの成立状態であり、メインリール２Ｌ、２Ｃ、２Ｒの表示結果が全て導出されていることを条件に導出させることが可能に制御される。
【００４３】
また、本実施例では、メインリール２Ｌ、２Ｃ、２Ｒにおいて構成されるリーチ目として、メインリール２Ｒの「白７」の３連図柄が適用されているとともに、サブリール６０の単独告知目として「白７」の３連図柄が適用されている。すなわち、サブリール６０の単独告知目としてメインリール２Ｌ、２Ｃ、２Ｒのリーチ目と同一の表示態様が適用されている。このように本実施例では、サブリール６０の単独告知目にメインリール２Ｌ、２Ｃ、２Ｒのリーチ目と同一の表示態様を用いているため、見た目が良いうえに、単独告知目となったことを遊技者に対して容易に認識させることができる。
【００４４】
また、本実施例では、図６（ｆ）に示すように、ＢＢフラグまたはＲＢフラグの成立状態以外のときや、メインリール２Ｌ、２Ｃ、２Ｒの表示結果がリーチ目となったときには、前述した４リール複合告知目や３リール複合告知目、単独告知目、すなわちＢＢフラグまたはＲＢフラグの成立状態である旨を示す表示態様（以下告知目と称す）とならない表示結果（以下ハズレ目と称す）がサブリール６０の表示結果として導出されるように制御される。
【００４５】
このように本実施例では、メインリール２Ｌ、２Ｃ、２Ｒの表示結果がリーチ目となったときには、サブリール６０の表示結果として告知目が導出されないようになっており、メインリール２Ｌ、２Ｃ、２Ｒの表示結果のみによって既にＢＢフラグまたはＲＢフラグの成立状態である旨が報知されているにも関わらず、更にサブリール６０の表示結果として告知目が導出されてしまうこと、すなわち当たり前の告知が行われることによる煩わしさを軽減することができる。尚、本実施例では、メインリール２Ｌ、２Ｃ、２Ｒの表示結果がリーチ目となったときには、サブリール６０の表示結果として告知目が導出されないようになっているが、例えば、これら告知目を導出させることが困難となるように制御しても良く、この場合でも同様の効果が得られる。
【００４６】
また、本実施例では、図６（ｅ）に示すように、全てのメインリール２Ｌ、２Ｃ、２Ｒの表示結果が導出される以前に、サブストップスイッチ８Ｓが操作されたときには、「ハズレ」の３連図柄（以下キャンセル目と称す）がサブリール６０の表示結果として導出されるように制御される。このため、例えば、メインリール２Ｌ、２Ｃ、２Ｒの表示結果が導出される以前に、サブリール６０に単独告知目が導出されることでメインリール２Ｌ、２Ｃ、２Ｒの表示結果に対する興味が失われてしまうことを防止できる。更に、ＢＢフラグやＲＢフラグの成立状態ではないのに、サブリール６０の表示結果が先に導出されたために、その後導出されたメインリール２Ｌ、２Ｃ、２Ｒの表示結果との組合せにより４リール複合告知目や３リール複合告知目が構成されてしまうことで、遊技者に対してＢＢフラグやＲＢフラグの成立状態であると誤解させてしまう等の不都合を防止できる。
【００４７】
このように本実施例では、メインリール２Ｌ、２Ｃ、２Ｒの表示結果が導出される以前にサブストップスイッチ８Ｓが操作されるか、メインリール２Ｌ、２Ｃ、２Ｒの表示結果が導出された後にサブストップスイッチ８Ｓが操作されるかに応じてサブリール６０の制御が行われるため、メインリール２Ｌ、２Ｃ、２Ｒの動作状況に応じてサブリール６０の制御を行うことが可能となり、より興趣の高い演出を行うことができる。
【００４８】
本実施例では、サブ制御部９１内のＲＯＭにサブリール６０の制御内容が定められた複数のサブリールテーブルが格納されており、サブ制御部９１は、これらサブリールテーブルに基づいてサブリール６０に表示結果を導出させる制御を行うようになっている。
【００４９】
サブリールテーブルには、図７（ａ）に示すように、基準位置（演出用窓５１の下段に表示されている図柄）の図柄番号毎に、引込図柄数が定められており、サブ制御部９１は、サブストップスイッチ８Ｓが検出されたときに、メインリール２Ｌ、２Ｃ、２Ｒの回転状況及び導出された表示結果に応じてサブリールテーブルを選択し、この選択したサブリールテーブルからその時点の基準位置の図柄に対応する引込図柄数を特定し、特定した引込図柄数に基づいてサブリール６０を停止させる制御を行う。例えば、引込図柄数として「４」が定められているときには、サブストップスイッチ８Ｓが検出されたときの基準位置の図柄から４図柄上の図柄を基準位置に引き込んで停止させる制御を行う。
【００５０】
本実施例では、図７（ｂ）に示すように、グループＡ〜Ｅの５種類のサブリールテーブルが設けられているとともに、これら各グループ毎に、メインリール２Ｌ、２Ｃ、２Ｒの表示態様に応じて異なる引込図柄数が定められた複数のサブリールテーブルが設けられている。
【００５１】
グループＡに属するサブリールテーブルは、４リール複合告知目を導出させることが可能となるように定められたサブリールテーブルであり、サブ制御部９１は、ＢＢフラグまたはＲＢフラグの成立状態においてメインリール２Ｌ、２Ｃ、２Ｒの表示結果として小役図柄が水平ラインに揃ったことを条件に、グループＡに属するサブリールテーブルのうち、メインリール２Ｌ、２Ｃ、２Ｒの表示結果に応じたサブリールテーブルを選択し、選択したサブリールテーブルに基づいてサブリール６０を停止させる制御を行う。
【００５２】
グループＢに属するサブリールテーブルは、３リール複合告知目を導出させることが可能となるように定められたサブリールテーブルであり、サブ制御部９１は、ＢＢフラグまたはＲＢフラグの成立状態においてメインリール２Ｌ、２Ｃ、２Ｒの表示結果として準備目が導出されたことを条件にグループＢに属するサブリールテーブルのうち、メインリール２Ｌ、２Ｃ、２Ｒの表示結果に応じたサブリールテーブルを選択し、選択したサブリールテーブルに基づいてサブリール６０を停止させる制御を行う。
【００５３】
グループＣに属するサブリールテーブルは、単独告知目を導出させることが可能となるように定められたサブリールテーブルであり、サブ制御部９１は、ＢＢフラグまたはＲＢフラグの成立状態においてメインリール２Ｌ、２Ｃ、２Ｒの表示結果がリーチ目ではないことを条件にグループＣに属するサブリールテーブルを選択し、選択したサブリールテーブルに基づいてサブリール６０を停止させる制御を行う。
【００５４】
グループＤに属するサブリールテーブルは、ハズレ目を導出させることが可能となるように定められたサブリールテーブルであり、サブ制御部９１は、ＢＢフラグまたはＲＢフラグの成立状態ではないときや、ＢＢフラグまたはＲＢフラグの成立状態においてメインリール２Ｌ、２Ｃ、２Ｒの表示結果がリーチ目となったときに、グループＤに属するサブリールテーブルのうち、メインリール２Ｌ、２Ｃ、２Ｒの表示結果に応じたサブリールテーブルを選択し、選択したサブリールテーブルに基づいてサブリール６０を停止させる制御を行う。
【００５５】
グループＥに属するサブリールテーブルは、キャンセル目を導出させるように定められたサブリールテーブルであり、サブ制御部９１は、全てのメインリール２Ｌ、２Ｃ、２Ｒの表示結果が導出される以前サブストップスイッチ８Ｓが操作されたときに、グループＥに属するサブリールテーブルを選択し、選択したサブリールテーブルに基づいてサブリール６０を停止させる制御を行う。
【００５６】
このように本実施例では、基準位置となる図柄に対応する引込図柄数が定められたサブリールテーブルに基づいてサブリール６０の停止制御を行うようになっており、例えば、引込図柄数を演算により特定する場合よりもサブリール６０の引込制御を簡素化できる。
【００５７】
また、本実施例では、複数のサブリールテーブルが設けられているとともに、サブ制御部９１は、ストップスイッチ８Ｓが検出されたときにメインリール２Ｌ、２Ｃ、２Ｒの表示態様に応じて異なる引込図柄数が定められたサブリールテーブルを選択し、選択したサブリールテーブルに基づいてサブリール６０の停止制御を行うようになっており、メインリール２Ｌ、２Ｃ、２Ｒの表示態様に応じてサブリール６０に導出させることが可能となる表示結果が変化するため、メインリール２Ｌ、２Ｃ、２Ｒの表示結果とサブリール６０の表示結果との組合せによる表示態様を多彩なものにでき、より興趣の高い演出を行うことができる。
【００５８】
また、サブ制御部９１は、ストップスイッチ８Ｓが検出されたときに全てのメインリール２Ｌ、２Ｃ、２Ｒの表示結果が導出されていない場合と、全てのメインリール２Ｌ、２Ｃ、２Ｒの表示結果が導出されている場合と、で異なる引込図柄数が定められたサブリールテーブルを選択し、選択したサブリールテーブルに基づいてサブリール６０の停止制御を行うようになっており、全てのメインリール２Ｌ、２Ｃ、２Ｒの表示結果が導出された後、サブリール６０の停止操作が行われたときと、サブリール６０の停止操作が行われた後、メインリール２Ｌ、２Ｃ、２Ｒの表示結果が導出されたときと、でサブリール６０に導出させることが可能となる表示結果が変化するため、メインリール２Ｌ、２Ｃ、２Ｒの表示結果とサブリール６０の表示結果との組合せによる表示態様を多彩なものにでき、より興趣の高い演出を行うことができる。
【００５９】
尚、本実施例では、全てのメインリール２Ｌ、２Ｃ、２Ｒの表示結果が導出される前にサブリール６０の停止操作が行われたときに、常にキャンセル目が導出されるサブリールテーブルが選択されるようになっているが、例えば、メインリール２Ｌ、２Ｃ、２Ｒ及びサブリール６０の停止順によって、異なる引込図柄数が定められたサブリールテーブルを選択するようにしても良く、このようにすることで、メインリール２Ｌ、２Ｃ、２Ｒの表示結果とサブリール６０の表示結果との組合せによる表示態様を一層多彩なものにできる。
【００６０】
また、本実施例では、グループＥに属するサブリールテーブルを除いて引込図柄数の最大値（本実施例では４図柄）が定められており、例え、４リール複合告知目や３リール複合告知目、単独告知目を導出させることが可能に定められたサブリールテーブルが選択されたときでも、サブストップスイッチ８Ｓが操作された際に、告知目を構成する図柄が引込可能な範囲になければ引き込めないようになっている。すなわち遊技者はサブリール６０を停止する際に目押しを行わなければ告知目を導出することができない。このように本実施例では、サブリール６０を停止させるときにも技術介入を要するため、ボーナス告知演出の実行に伴う興趣を高めることができる。
【００６１】
以上説明したように、本実施例のスロットマシン１では、サブリール６０の表示結果として単独告知目が導出されること、すなわちサブリール６０の表示結果のみでＢＢフラグまたはＲＢフラグの成立状態である旨を報知することができるとともに、メインリール２Ｌ、２Ｃ、２Ｒの表示結果とサブリール６０の表示結果との組合せにより構成される４リール複合告知目や３リール複合告知目、すなわちメインリール２Ｌ、２Ｃ、２Ｒとサブリール６０の双方の表示結果の組合せによってＢＢフラグまたはＲＢフラグの成立状態である旨を報知することができる。これにより、従来のようにサブリール６０のみを用いてＢＢフラグまたはＲＢフラグの成立状態か否かの結果を反映した演出を行う場合よりも、サブリール６０を用いた多彩な演出態様にてＢＢフラグまたはＲＢフラグの成立状態か否かの結果を反映した演出を行うことができるため、従来よりも興趣を高めることができる。
【００６２】
また、本実施例では、告知目、すなわちＢＢフラグまたはＲＢフラグの成立状態である旨を示す表示態様として、４リール複合告知目、すなわち全てのメインリール２Ｌ、２Ｃ、２Ｒの表示結果とサブリール６０の表示結果との組合せにより構成される表示態様と、３リール複合告知目、すなわちメインリール２Ｃ、２Ｒの表示結果とサブリール６０の表示結果との組合せにより構成される表示態様、すなわち一部のメインリールの表示結果とサブリール６０の表示結果の組合せにより構成される表示態様と、が適用されており、メインリール２Ｌ、２Ｃ、２Ｒの表示結果とサブリール６０の表示結果との組合せによる告知目をより多彩なものにできるため、より興趣の高い演出を行うことができる。
【００６３】
以上、本発明の実施例を図面により説明してきたが、本発明はこの実施例に限定されるものではなく、本発明の主旨を逸脱しない範囲における変更や追加があっても本発明に含まれることは言うまでもない。
【００６４】
例えば、前記実施例では、内部抽選処理によりＢＢフラグまたはＲＢフラグが当選することを条件に、ＢＢ入賞またはＲＢ入賞の発生が許容されるようになっているが、例えば、これらＢＢフラグまたはＲＢフラグが当選した後、これらＢＢフラグまたはＲＢフラグをＢＢ入賞またはＲＢ入賞を発生させることが不可能または困難な不可状態に制御するとともに、当該不可状態が解除されることを条件に、ＢＢ入賞またはＲＢ入賞の発生が許容されるようにしても良い。尚、この場合には、ＢＢフラグまたはＲＢフラグの抽選を行う内部抽選手段、及び前述した不可状態を解除してこれらＢＢフラグまたはＲＢフラグにより許容されるＢＢ入賞またはＲＢ入賞を発生可能または容易な可状態とするか否かを決定するための不可状態解除手段の双方が本発明の事前決定手段として機能することとなる。
【００６５】
また、前記実施例では、メダル並びにクレジットを使用してゲームを実施可能な通常のスロットマシンを用いているが、本発明はこれに限定されるものではなく、パチンコ球を用いてゲームを行うスロットマシンや、メダルが外部に排出されることなくクレジットを使用して遊技可能な完全クレジット式のスロットマシン、更には可変表示装置が画像にて表示される画像式のスロットマシンにも適用可能であることはいうまでもなく、これらスロットマシンの種別が限定されるものではない。
【００６６】
前記実施例における各要素は、本発明に対して以下のように対応している。
【００６７】
本発明の請求項１は、複数種の入賞用図柄を移動させることにより表示状態を変化させるとともに、該移動を停止させたときに表示されている入賞用図柄を表示結果とする入賞用可変表示装置（メインリール２Ｌ、２Ｃ、２Ｒ）を備え、１ゲームに対して賭数を設定することによりゲームが開始可能となるとともに、前記入賞用可変表示装置の前記入賞用図柄の移動が停止することで１ゲームが終了し、該入賞用可変表示装置の表示結果に応じて入賞が発生可能とされたスロットマシン１であって、前記入賞用可変表示装置とは別個に設けられ、複数種の演出用図柄を移動させることにより表示状態を変化させるとともに、該移動を停止させたときに表示されている演出用図柄を表示結果とする演出用可変表示装置（サブリール６０）と、前記演出用可変表示装置の制御を行う演出用表示制御手段（サブ制御部９１）と、前記入賞用可変表示装置の前記入賞用図柄の移動が停止する以前に前記入賞の発生を許容するか否かを決定する事前決定手段（メイン制御部４１（内部抽選処理））と、を備え、前記演出用表示制御手段は、前記事前決定手段により遊技者にとって有利な特別入賞（ＢＢ入賞、ＲＢ入賞）の発生が許容されていること（ＢＢフラグまたはＲＢフラグの成立状態であること）を条件に、前記演出用可変表示装置の表示結果として表示されている演出用図柄のみによって前記特別入賞の発生が許容されている旨を示す単独告知を行わせること（単独告知目の表示）が可能となるように前記演出用可変表示装置の制御を行うとともに、前記事前決定手段により前記特別入賞の発生が許容され、かつ前記入賞用可変表示装置の表示結果として表示されている入賞用図柄が特定の表示結果であること（準備目となること、小役図柄が水平ラインに揃うこと）を条件に、該特定の表示結果として表示されている入賞用図柄と前記演出用図柄との組合せにより前記特別入賞の発生が許容されている旨を示す複合告知を行わせること（３リール複合告知目、４リール複合告知目の表示）が可能となるように前記演出用可変表示装置の制御を行う。
【００６８】
本発明の請求項２は、所定の停止条件（サブストップスイッチ８Ｓの検出）が成立してから前記演出用可変表示装置（サブリール６０）の前記演出用図柄の移動が停止するまでの変動量として異なる変動量（引込図柄数）が定められた複数種類の変動量テーブル（サブリールテーブル）を備え、前記演出用表示制御手段（サブ制御部９１）は、前記入賞用可変表示装置（メインリール２Ｌ、２Ｃ、２Ｒ）の表示結果として表示された入賞用図柄に応じた種類の前記変動量テーブルを選択し、該選択した変動量テーブルに基づいて前記演出用可変表示装置の前記演出用図柄の移動を停止させる制御を行う。
【００６９】
本発明の請求項３は、前記入賞用可変表示装置（メインリール２Ｌ、２Ｃ、２Ｒ）の前記入賞用図柄の移動を停止させるための第１の停止操作手段（メインストップスイッチ８Ｌ、８Ｃ、８Ｒ）と、前記演出用可変表示装置（サブリール６０）の前記演出用図柄の移動を停止させるための第２の停止操作手段（サブストップスイッチ８Ｓ）と、所定の停止条件（サブストップスイッチ８Ｓの検出）が成立してから前記演出用可変表示装置の前記演出用図柄の移動が停止するまでの変動量として異なる変動量（引込図柄数）が定められた複数種類の変動量テーブル（サブリールテーブル）と、を備え、前記演出用表示制御手段（サブ制御部９１）は、前記第１の停止操作手段が操作された後に前記第２の操作手段が操作されたときと、前記第１の停止操作手段が操作される前に前記第２の停止操作手段が操作されたときと、で異なる種類の前記変動量テーブルを選択し、該選択した変動量テーブルに基づいて前記演出用可変表示装置の前記演出用図柄の移動を停止させる制御を行う。
【００７０】
本発明の請求項４は、前記入賞用可変表示装置は、各々別個の入賞用図柄を表示結果として表示させることが可能な複数の可変表示部（メインリール２Ｌ、２Ｃ、２Ｒ）を備え、前記複合告知は、前記可変表示部のうち一部の可変表示部（メインリール２Ｃ、２Ｒ）の表示結果として表示されている入賞用図柄と前記演出用可変表示装置（サブリール６０）の表示結果として表示されている演出用図柄との組合せにより構成されるもの（３リール複合告知目）と、全ての前記可変表示部（メインリール２Ｌ、２Ｃ、２Ｒ）の表示結果として表示されている入賞用図柄と前記演出用可変表示装置の表示結果として表示されている演出用図柄との組合せにより構成されるもの（４リール複合告知目）と、を含む。
【００７１】
本発明の請求項５は、前記複合告知は、前記入賞が発生したときに前記各可変表示部（メインリール２Ｌ、２Ｃ、２Ｒ）に表示される入賞用図柄の組合せと同一の組合せ（３リール複合告知目）を含む。
【００７２】
本発明の請求項６は、前記入賞用可変表示装置は、各々別個の入賞用図柄を表示結果として表示させることが可能な複数の可変表示部（メインリール２Ｌ、２Ｃ、２Ｒ）を備え、前記可変表示部のうちいずれか１つの可変表示部の表示結果のみによって前記特別入賞（ＢＢ入賞、ＲＢ入賞）の発生が許容されている旨を示す単独特別告知を行うこと（リーチ目の表示）が可能であり、前記単独告知が行われたときの前記演出用可変表示装置（サブリール６０）の表示結果は、前記単独特別告知が行われたときの前記入賞用可変表示装置の表示結果と同一の表示結果（「白７」の３連図柄）を含む。
【００７３】
本発明の請求項７は、前記入賞用可変表示装置（メインリール２Ｌ、２Ｃ、２Ｒ）の表示結果として表示されている入賞用図柄のみによって前記特別入賞（ＢＢ入賞、ＲＢ入賞）の発生が許容されている旨を示す特別告知を行うこと（リーチ目の表示）が可能であり、前記演出用表示制御手段（サブ制御部９１）は、前記特別告知が行われたとき（リーチ目が表示されたとき）に、前記単独告知及び前記複合告知を行わせること（単独告知目及び３リール複合告知目、４リール複合告知目の表示）が困難または不可能となるように前記演出用可変表示装置（サブリール６０）の制御を行う。
【００７４】
【発明の効果】
本発明は以下の効果を奏する。
【００７５】
（ａ）請求項１項の発明によれば、演出用可変表示装置の表示結果として表示されている演出用図柄のみによって特別入賞の発生が許容されている旨を示す単独告知を行うこと、すなわち演出用可変表示装置に表示されている演出用図柄のみで事前決定手段により特別入賞の発生が許容された旨を報知することができるとともに、入賞用可変表示装置に表示されている入賞用図柄と演出用可変表示装置に表示されている演出用図柄との組合せによって特別入賞の発生が許容されている旨を示す複合告知を行うこと、すなわち入賞用可変表示装置と演出用可変表示装置の双方の図柄の組合せによって事前決定手段により特別入賞の発生が許容された旨を報知することができる。これにより、従来のように演出用可変表示装置のみを用いて事前決定手段により特別入賞の発生が許容されたか否かの結果を反映した演出を行う場合よりも、演出用可変表示装置を用いた多彩な演出態様にて特別入賞の発生が許容されたか否かの結果を反映した演出を行うことができるため、従来よりも興趣を高めることができる。
【００７６】
（ｂ）請求項２項の発明によれば、演出用可変表示装置の制御内容が変動量テーブルに定められているため、演出用表示制御手段の制御を簡素化できるとともに、入賞用可変表示装置の表示結果として表示された入賞用図柄に応じて演出用可変表示装置の表示結果として表示される演出用図柄が変化するため、入賞用可変表示装置の表示結果として表示された入賞用図柄と演出用可変表示装置の表示結果として表示された演出用図柄との組合せを多彩なものにでき、より興趣の高い演出を行うことができる。
【００７７】
（ｃ）請求項３項の発明によれば、演出用可変表示装置の制御内容が変動量テーブルに定められているため、演出用表示制御手段の制御を簡素化できるとともに、入賞用可変表示装置の表示結果が演出用可変表示装置の表示結果が表示される以前に表示されたか、入賞用可変表示装置の表示結果が演出用可変表示装置の表示結果が表示された後に表示されたか、に応じて演出用可変表示装置の制御を行うことが可能となるため、より興趣の高い演出を行うことができる。
【００７８】
（ｄ）請求項４項の発明によれば、入賞用可変表示装置の表示結果として表示されている入賞用図柄と演出用可変表示装置の表示結果として表示されている演出用図柄との組合せによる複合告知を多彩なものにできるため、より興趣の高い演出を行うことができる。
【００７９】
（ｅ）請求項５項の発明によれば、見た目が良いうえに、入賞用可変表示装置の表示結果として表示されている入賞用図柄と演出用可変表示装置の表示結果として表示されている演出用図柄との組合せによる複合告知となったことを遊技者に対して容易に認識させることができる。
【００８０】
（ｆ）請求項６項の発明によれば、見た目が良いうえに、演出用可変表示装置の表示結果として表示されている演出用図柄のみによって特別入賞の発生が許容されている旨を示す単独告知が行われたことを遊技者に対して容易に認識させることができる。
【００８１】
（ｇ）請求項７項の発明によれば、入賞用可変表示装置の表示結果として表示されている入賞用図柄によって特別告知が行われたとき、いわゆるリーチ目が表示され、特別入賞の発生が許容されている旨が報知されているにも関わらず、更に単独告知や複合告知が行われてしまうことによる煩わしさを軽減できる。
【図面の簡単な説明】
【図１】本発明が適用された実施例のスロットマシンの正面図である。
【図２】スロットマシンの構成を示すブロック図である。
【図３】メインリール及びサブリールの図柄配列を示す図である。
【図４】通常遊技状態において入賞の対象となる図柄の組合せ等を示す図である。
【図５】ボーナス告知演出の実行状況を示す図である。
【図６】（ａ）〜（ｆ）は、メインリール及びサブリールの表示態様を示す図である。
【図７】（ａ）は、サブリールテーブルを示す図であり、（ｂ）は、サブリールテーブルのグループ別の特徴を示す図である。
【符号の説明】
１  スロットマシン、２Ｌ、２Ｃ、２Ｒ  メインリール、８Ｓ  サブストップスイッチ、４１  メイン制御部、６０  サブリール、９１  サブ制御部
【図１】
2004321389.tif 000003
【図２】
2004321389.tif 000004
【図３】
2004321389.tif 000005
【図４】
2004321389.tif 000006
【図５】
2004321389.tif 000007
【図６】
2004321389.tif 000008
【図７】
2004321389.tif 000009